(57)【特許請求の範囲】
【請求項１】
少なくとも一部に凸状に膨出した膨出部を有するナイト用ブラジャーにおいて、
前記ナイト用ブラジャーは、膨出部としての左右のバストカップ部と当該左右のバストカップ部の体側部及び背面側に位置する側布が一体的に構成されるとともに、前記左右のバストカップ部の中央部で左右に分離された身頃体とを備え、当該身頃体及び膨出部は、その端縁部に一部がストラップを兼ねる端縁処理用テープ状部材を縫着した薄手の生地によって二重に構成し、
前記ナイト用ブラジャーの膨出部を凸状に成形するとともに、当該ナイト用ブラジャーの左右のバストカップ部表面の全面に、装飾用テープ状部材を縫着し、
前記左右のバストカップ部の内側に縫着された装着用の紐を結ぶことによって着用されることを特徴とするナイト用ブラジャー。
【請求項２】
前記身頃体の周縁を仕上げる端縁処理用テープ状部材を、当該身頃体の表面にのみ装着したことを特徴とする請求項１に記載のナイト用ブラジャー。
【請求項３】
前記薄手の生地によって二重に構成される身頃体に、シャーリング加工を施すことによって、伸縮性を付与したことを特徴とする請求項１又は２に記載のナイト用ブラジャー。
【発明の詳細な説明】
【０００１】
【発明の属する技術分野】
この発明は、ナイト用ブラジャーに関するものである。
【０００２】
【従来の技術】
従来、上記ナイト用ブラジャー及びショーツ等の女性用衣料は、例えば、これらの衣料を構成するバストカップ等の部材を、ダーツによって凸状に膨出した形状に縫製するとともに、左右のバストカップを含め身頃部分を、女性のバストの側方から背面側に着用される側布として縫着することによって構成されている。
【０００３】
また、上記ナイト用ブラジャー等の女性用衣料は、バストカップと側布とを縫着する際に、これらバストカップと側布との縫着部の裏面側に、バイヤステープを配置し、バストカップと側布とをバイヤステープによって縫着することによって製造される。
【０００４】
さらに、上記ナイト用ベビードール等の女性用衣料にあっては、ナイト用ブラジャーの下部に、薄手の生地によって二重に構成された身頃体を、一体的に縫着するように構成されている。このナイト用ベビードール等の女性用衣料は、図１３に示すように、薄手の生地によって二重に構成された身頃体の端部どうしを、表面側の生地の端縁を裏面側に折り返した状態で接合するとともに、接合部の裏面側にバイヤステープを配置し、接合部を縫着することによって製造される。
【０００５】
【発明が解決しようとする課題】
しかしながら、上記従来技術の場合には、次のような問題点を有している。すなわち、上記従来のナイト用ブラジャーやベビードール等の女性用衣料にあっては、バストカップと側布とを縫着する際や、薄手の生地によって二重に構成された身頃体の端部どうしを接合する際に、接合部の裏面側にバイヤステープを配置して縫着されるため、接合部の厚みが厚くなるとともに、当該接合部が女性の肌に当たって、肌当たりが悪くなり、就寝時に女性の肌の一部を押圧して、着用感が低下するという問題点を有していた。
【０００６】
また、上記従来のナイト用ブラジャーやベビードール等の女性用衣料にあっては、上記のごとく、接合部の厚みが厚くなるので、当該女性用衣料の装飾性を高めるため、女性用衣料の表面側にテープ等によって装飾を施すと、その分だけ更に厚みを増して剛性が高まり、着用感を損ねてしまうので、装飾を施し難いという問題点を有した。
【０００７】
さらに、上記従来のナイト用ブラジャーやベビードール等の女性用衣料にあっては、上記のごとく、接合部の厚みが厚くなるので、当該接合部に沿った部分の女性用衣料の剛性が高くなり、女性用衣料を着脱する際にスムーズに湾曲せず、着脱性が低下するという問題点をも有していた。
【０００８】
そこで、この発明は、上記従来技術の問題点を解決するためになされたものでり、その目的とするところは、ナイト用ブラジャーにおいて、就寝時の着用感と肌当たりを向上させるとともに、装飾性を付与して視覚性を高めることができ、更に、着脱性を容易にしたナイト用ブラジャーを提供することにある。
【０００９】
【課題を解決するための手段】
すなわち、請求項１に係る発明は、少なくとも一部に凸状に膨出した膨出部を有するナイト用ブラジャーにおいて、
前記ナイト用ブラジャーは、膨出部としての左右のバストカップ部と当該左右のバストカップ部の体側側及び背面側に位置する側布が一体的に構成されるとともに、前記左右のバストカップ部の中央部で左右に分離された身頃体とを備え、当該身頃体及び膨出部は、その端縁部に一部がストラップを兼ねる端縁処理用テープ状部材を縫着した薄手の生地によって二重に構成し、
前記ナイト用ブラジャーの膨出部を凸状に成形するとともに、当該ナイト用ブラジャーの左右のバストカップ部表面の全面に、装飾用テープ状部材を縫着し、
前記左右のバストカップ部の内側に縫着された装着用の紐を結ぶことによって着用されることを特徴とするナイト用ブラジャーである。
【００１０】
この発明では、女性用衣料の膨出部を凸状に成形することにより、シーム部を無くし、その他の部分もシーム部を極力無くし、更に仕上げ処理等を肌への刺激を無くす方式で、当該女性用衣料の膨出部の表面及び／又は周縁にのみ、その少なくとも一部に装飾性を付与するテープ状部材を縫着することにより対応し、着用感を高めたものである。また、タック用のテープも超音波等による切断により、切断面の解れを無くし、身頃の基本素材を可能な限りストレッチ性のあるものを使用する、身頃を好ましくは二重構造とする、ショルダー部調整用金具・ブラジャー着脱用の金具を極力使用しない（就寝時の肌への抵抗をなくす）、肌への影響のあるシームの糸質（シルク等）を考慮し、好ましくはミシン糸を使用しない超音波ミシンによることが望ましい。
【００１２】
さらに、請求項２に係る発明は、前記身頃体の周縁を仕上げる端縁処理用テープ状部材を、当該身頃体の表面にのみ装着したことを特徴とする請求項１記載のナイト用ブラジャーである。
【００１４】
更に、請求項３に係る発明は、前記薄手の生地によって二重に構成される身頃体に、シャーリング加工を施すことによって、伸縮性を付与したことを特徴とする請求項１又は２に記載のナイト用ブラジャーである。
【００１５】
上記女性用衣料の膨出部としては、例えば、ナイト用ブラジャーのバスト部や、ショーツのヒップ部などが該当するが、これらのナイト用ブラジャーのバスト部やショーツのヒップ部は、必要とする形状を備えたモールド型により、熱プレス成形等によって成形され、当該女性用衣料の基本体が創設される。
【００１６】
また、上記女性用衣料を構成する素材としては、例えば、伸縮性を備え、且つ肌当たりと透け感の有るトリコット等の素材をベースにするのが望ましい。このトリコット等の素材は、女性用衣料の本体部分の形状、つまり、女性用衣料の全体又はバスト等の主要な部分の形状に裁断されるか、あるいは装飾性を兼ねる部分を備えた形状に裁断される。その際、上記女性用衣料は、透明性の有る素材で、しかも二重構造とすることによって、視覚性を高めると同時にすべり感を高めることができる。
【００１７】
さらに、上記女性用衣料を構成する素材を裁断する手段としては、超音波等による裁断を選択することにより、裁断面の解れ防止を兼ねることが出来る上に、女性用衣料のエッジとなる裁断面を、ミシン等でロック（飾りを兼ねることも良い）した基本部材を確保することができる。
【００１８】
次に、別途用意した同一素材（全く別なものでも良い）からなる所定の幅に裁断された装飾用テープ状部材を、例えば、タック形成用機能を備えたミシンにより、熱成形されたバスト部等の膨出部に対し、当該装飾用テープ状部材をリング状に縫い止め等をすることにより得られる。尚、上記装飾用テープ状部材も、切断面のほつれ防止から超音波等により裁断することが望ましい。
【００１９】
この発明に係る女性用衣料の素材は、１パターンによりバスト形状を形成する場合は、特にセット性（熱成型性）は要求されない。そのため、上記女性用衣料を構成する素材は、着用性を前提とするが、組成は特に制約されるものではない。
【００２０】
また、この発明に係る女性用衣料では、バスト並びにヒップ形状等の膨出部がモールド成形等によって創出される。本願の主とする素材は、熱セット性を備えたポリエステル等の素材が適切であると同時に、成形性の良い編地が望ましい。
【００２１】
さらに、視覚的装飾性を創出するためのバスト部のタック用素材は、身頃体と同一であることを本願の主とするが、装飾性を高めることを前提に限定されるものではない。
【００２２】
本願の主とするミシンによるタック構成は、タック形成のために物性が薄くソフトである等の条件を有するが、織り地の場合はバイヤス目地が望ましい。なお、先にタック状を形成した部材を使用してもよい。
【００２３】
また、装飾性を高めるためには、装飾用テープ状部材を構成する糸（フィラメント）を光沢糸、三角断面糸等を使用することや、発光性能を持ったグラスファイバーやカメレオン糸・仕上げ材や染料 (蓄光染料・ブラックライト発光染料）により発光するものを使用することが望ましい。
【００２４】
また、女性用衣料の本体の仕上げは、身頃体と同一素材による玉縁またはパイピングを基本とするが (この場合の片紐は、同一性を高めることから同一素材による袋縫いコードをベターとする）、第二実施の形態のように、身頃体裁断面を一体的に装飾性を持たせるタック構成にするために、裁断面を超音波による切断又はかがりミシンや飾りロックミシン等でロック。更に身頃を構成する領域と飾り部を構成する領域の接点に、人体へのフィット性を高めるエラスチック部を創設する
【００２５】
さらに、このエラスチック部は、伸張力を備え、からだの呼吸に少なくとも同調できる伸縮性を持たせ且つ人体にフィットすることの出来る構造が望ましい。
【００２６】
この場合、一般的には、エラクチックコード又はポリウレタン等のコードを環縫いミシン等でコードを包みながら縫い止めする。
【００２７】
また、コ−ドそのものを飾りとするために、コードを接着・溶着しても良い。当然溶着時に肌側ににじまない処理、又はにじんでも人体に物理的、生理的デメリットを与えない物性が望ましい。
【００２８】
又、このコード体は，人体着用感、肌当たりの面から表面に構成することが望ましい。
【００２９】
更に、装飾を形どるタックは、デザイン的に第二実施の形態の通り、リング状で無く直線状でも良いし、商品形体、バスト形体をなぞる形状でも良い。直線的デザイン構成の場合、タック工程をモールド成形前、断裁前に行なってもよい。
【００３０】
また更に、第４実施の形態のように、基本体のタックをデザインせず、フラットな本体構造のみでも良い。この場合、身頃を二重構成とし、表側身頃体を裏側身頃体より小さく構成することによるデザイン性、表裏の素材カラーを変える等のデザイン性を得ることが出来る。
【００３１】
【発明の実施の形態】
以下に、この発明の実施の形態について図面を参照して説明する。
【００３２】
実施の形態１
図１はこの発明の実施の形態１に係る女性用衣料としてのナイト用ブラジャーを示すものである。
【００３３】
図１において、１は女性用衣料としてのナイト用ブラジャーを示すものであり、このナイト用ブラジャー１は、女性のバストをそれぞれ覆う左右のバストカップ部２、３を備えている。これらの左右のバストカップ部２、３は、当該左右のバストカップ部２、３の内側の下端部どうしが、互いにパイプ状に形成された下端縁によって接合されている。また、上記左右のバストカップ部２、３の側方は、望ましくは、左右のバストカップ部２、３と一体的に形成された側布４によって、女性の体の背面側で互いに連結されている。さらに、上記左右のカップ部２、３の三角形状に形成された上端部には、女性の肩に掛けるストラップ５、６がそれぞれ装着されている。
【００３４】
上記ナイト用ブラジャー１を構成する素材としては、例えば、伸縮性を備え、且つ肌当たりと透け感の有るトリコット編みの＜トリコット＞、丸編みの＜天竺＞等よこ編み、縦編み、サテンや平織りのローン等、又はこれらを表裏組合わせたものであっても良い。
【００３５】
また、このナイト用ブラジャー１は、可能な限り少ない素材片で構成される。図示の実施の形態では、例えば、図２（ａ）に示すように、当該ナイト用ブラジャー１を構成する左右のバストカップ部２、３と側布４とが、上記トリコット等の素材を所定の形状に裁断した１枚の素材７によって一体的に構成されている。この素材７の裁断は、超音波裁断等によって行なうことにより、裁断面の解れ防止を兼ねることが出来る。また、ナイト用ブラジャー１を構成する素材の裁断面を、ミシン等でロック（飾りを兼ねることも良い）処理することにより、基本部材を確保することができる。なお、上記ナイト用ブラジャー１は、図２（ｂ）に示すように、左右のバストカップ部２、３と側布４とを、別々の素材８、９によって構成しても良い。これらの素材８、９の接続部は、例えば、図１０に示すように接合される。
【００３６】
さらに、上記ナイト用ブラジャー１は、図３（ａ）に示すように、左右のバストカップ部２、３が、必要とする形状を備えたモールド型により、熱プレス成形等によって成形され、当該ナイト用ブラジャー１の基本体が創設される。なお、図３（ａ）では、ナイト用ブラジャー１を構成する素材が、左右のバストカップ部２、３と側布４を構成する別々の素材８、９からなり、これらの素材８、９を符号イと符号ロの位置で互いに接合した場合を示している。
【００３７】
上記左右のバストカップ部２、３を、必要とする形状を備えたモールド型により、熱プレス成形等によって成形するには、上記素材７又は素材８を図示しないプレス成形機にセットし、温度２００℃及び圧力１５Ｋｇ／ｃｍ2 ／Ｇの条件で１分間加熱圧縮成形することによって、左右のバストカップ部２、３が所定の凸状に膨出した形状に形成される。そして、この加熱圧縮成形の際の成形条件については、使用する素材の材質や厚さ等によって異なるが、通常、温度が５０〜２５０℃、好ましくは１００〜２２０℃であって、圧力が０．５〜１０Ｋｇ／ｃｍ2 ／Ｇ、好ましくは１〜７Ｋｇ／ｃｍ2 ／Ｇであり、加圧時間が３分程度又は５分程度である。
【００３８】
また更に、上記ナイト用ブラジャー１の左右のバストカップ部２、３には、図３（ｂ）に示すように、適宜にカットされた装飾用テープ状部材１０を、バストのトップ部分から螺旋状にタック加工用ミシンによって、タック状態に縫い止めされ、装飾が施される。
【００３９】
さらに、上記ナイト用ブラジャー１は、図３（ｃ）に示すように、左右のバストカップ部２、３の略三角形状に形成された上端縁１１ａ、１１ｂ及び下端縁１２、更には当該左右のバストカップ部２、３と一体的に形成された側布４の上端縁１３及び下端縁１４に、端縁処理用テープ状部材１５が縫着されている。その際、上記左右のバストカップ部２、３の側方に位置する上端縁１１ａと側布４の上端縁１３、及び左右のバストカップ部２、３の下端縁１２と側布４の下端縁１４は、図３（ｃ）及び図４に示すように、それぞれ端縁処理用テープ状部材１５が一体的に縫着されている。
【００４０】
上記左右のバストカップ部２、３及び側布４の上端縁１１ａ、１１ｂ、１３及び下端縁１２、１４への端縁処理用テープ状部材１５の縫着は、例えば、次のようにして行なわれる。
【００４１】
上記端縁処理用テープ状部材１５としては、例えば、左右のバストカップ部２、３等を構成する素材と同一の素材である共地や、あるいはストレッチ性を有する織地や編地等の布地からなるテープ状部材が用いられる。この端縁処理用テープ状部材１５は、図５（ａ）に示すように、その幅方向の両端縁１５ａ、１５ｂを内側に折り返して、当該テープ状部材１５の内側に折り返された両端縁部の間に、左右のバストカップ部２、３及び側布４の上端縁１１ａ、１１ｂ、１３及び下端縁１２、１４を挟み込んだ状態で、端縁処理用テープ状部材１５の内側の端縁部近傍を縫着１６することによって、所謂パイピング処理が施される。
【００４２】
また、上記端縁処理用テープ状部材１５としては、やはり、左右のバストカップ部２、３等を構成する素材と同一の素材である共地や、あるいはストレッチ性を有する織地や編  地等の布地からなるテープ状部材が用いられる。この端縁処理用テープ状部材１５は、図５（ｂ）に示すように、その幅方向の両端縁１５ａ、１５ｂが、互いに一部同じ方向を向いて重なるように環状に形成するとともに、当該環状に形成されたテープ状部材１５を、一部重ねた部分が表面側に来るように、しかも、裏面側が若干長くなるように２つ折りにし、この２つ折りにされた環状のテープ状部材１５の間に、左右のバストカップ部２、３及び側布４の上端縁１１ａ、１１ｂ、１３及び下端縁１２、１４を挟み込んだ状態で、端縁処理用テープ状部材１５の裏面側の内端縁近傍を左右のバストカップ部２、３及び側布４の上端縁及び下端縁とともに縫着１７し、且つテープ状部材１５の裏面側の外端縁近傍を左右のバストカップ部２、３及び側布４の上端縁及び下端縁とともに、縫い糸が表面側に現れないように、縫着１８することによって、所謂玉縁処理が施される。
【００４３】
さらに、上記端縁処理用テープ状部材１５としては、袋状又は帯状に織編されたストレッチ性を有するコードを、図５（ｃ）に示すように、縫い止めすることによって、所謂タタキ処理が施される。
【００４４】
なお、図５（ｄ）に示すように、ストレッチ性を有するコード２０を、環縫いミシン等で、左右のバストカップ部２、３及び側布４の上端縁及び下端縁に縫糸２１で縫い込むように構成したり、図５（ｅ）に示すように、ストレッチ性を有する帯状のフィルム２２を接着フィルム２３等によって、左右のバストカップ部２、３及び側布４の上端縁１１ａ、１１ｂ、１３及び下端縁１２、１４に圧着するように構成したり、図５（ｅ）に示すように、ストレッチ性を有するポリマー２４を、左右のバストカップ部２、３及び側布４の上端縁１１ａ、１１ｂ、１３及び下端縁１２、１４に、帯状に溶着するように構成しても良い。
【００４５】
また、図示の実施の形態では、左右のバストカップ部２、３の上端縁１１ａ、１１ｂ、１３に縫着された端縁処理用テープ状部材１５が、ストラップ５、６を兼ねるように構成されているが、ストラップ５、６は、別部材からなるように構成しても勿論よい。
【００４６】
さらに、図示の実施の形態では、左右のバストカップ部２、３の内側の縫着部と、左右のバストカップ部２、３の上端部に、装着用の紐２５がそれぞれ縫着されており、これらの装着用紐２５を結ぶことによって、ナイト用ブラジャー１を着用するようになっている。上記装着用紐２５は、ストレッチ性の高い素材で構成され、着用感を高めるため、輪状に形成されている。
【００４７】
このように、上記実施の形態では、女性用衣料としてのナイト用ブラジャー１が、図１及び図２に示すように、当該ナイト用ブラジャー１の左右のバストカップ２、３が、１つの素材７又は２つの素材８、９によって構成されており、その分だけ左右のバストカップ２、３を構成する素材の接合部を少なくすることができ、図２（ａ）に示す実施の形態では、左右のバストカップ２、３を構成する素材７の接合部が、実質的に前方中央部の一個所のみであって、当該接合部が女性の肌を圧迫することがほとんどないので、就寝時の着用感と肌当たりを向上させることができる。
【００４８】
また、上記のごとく、ナイト用ブラジャー１の左右のバストカップ２、３を構成する素材７又は素材８、９に、接合部をほとんど無くすことができるため、その分だけナイト用ブラジャー１の左右のバストカップ２、３に、装飾用テープ状部材１０等によって、装飾性を付与することができ、装飾性を付与して視覚性を高めることができる。
【００４９】
更に、上記のごとく、ナイト用ブラジャー１の左右のバストカップ２、３を構成する素材７又は素材８、９に、接合部をほとんど無くすことができるため、その分だけ当該ナイト用ブラジャー１の柔軟性を高めることができ、着脱性を容易に行なうことが可能となる。
【００５０】
参考実施の形態
図６にこの発明の参考実施の形態を示すものであり、前記実施の形態と同一の部分には同一の符号を付して説明すると、この参考実施の形態では、図６に示すように、ナイト用ブラジャー１の左右のバストカップ部２、３の表面に形成される装飾用テープ状部材１０を、螺旋状に縫着するのではなく、バストトップを中心にして、略三角形状乃至四角形状に縫着するとともに、左右のバストカップ部２、３及び側布４の上端縁及び下端縁にも、装飾用テープ状部材１０を縫着することによって、装飾性を一層高めることができるように構成されている。
【００５１】
その他の構成及び作用は、前記実施の形態と同様であるので、その説明を省略する。
【００５２】
参考実施の形態１
図７にこの発明の参考実施の形態１を示すものであり、前記実施の形態と同一の部分には同一の符号を付して説明すると、この参考実施の形態１では、図７に示すように、女性用衣料としてのナイト用ブラジャー１が、ストラップレスのナイト用のチェストブラジャーとなるように構成されている。また、上記ナイト用のチェストブラジャー１は、左右のバストカップ部２、３の表面に、装飾用テープ状部材１０が縦方向に沿って縫着されている。さらに、上記ナイト用のチェストブラジャー１の上端縁１１及び下端縁１２、１４には、ポリウレタン製のコードやフィルム等からなる線状部材３０が、振糸付きの環縫い３１が可能な二本針のミシンステッチによって、その表面側に縫着されており、装飾性を一層高めることができるように構成されている。
【００５３】
その他の構成及び作用は、前記実施の形態と同様であるので、その説明を省略する。
【００５４】
参考実施の形態２
図８にこの発明の参考実施の形態２を示すものであり、前記実施の形態と同一の部分には同一の符号を付して説明すると、この参考実施の形態２では、図８に示すように、女性用衣料としてのナイト用ブラジャー１が、実施の形態１に係るものと同様に、ストラップ５、６を有するナイト用のブラジャー１となるように構成されている。また、上記ナイト用ブラジャー１は、左右のバストカップ部２、３及び側布４の上端縁１１ａ、１１ｂ、１３及び下端縁１２、１４にのみ、装飾用テープ状部材１０を縫着するように構成されている。さらに、上記ナイト用ブラジャー１の左右のバストカップ部２、３には、刺繍３５が施されており、装飾性を高めるように構成されている。
【００５５】
その他の構成及び作用は、前記実施の形態と同様であるので、その説明を省略する。
【００５６】
実施の形態３
図９にこの発明の実施の形態３を示すものであり、前記実施の形態と同一の部分には同一の符号を付して説明すると、この実施の形態３では、前記女性用衣料が、膨出部と一体的に構成される身頃体を備え、当該身頃体は、薄手の生地によって二重に構成され、かつ身頃体の接続部は、袋状に縫製されている。
【００５７】
この実施の形態３では、例えば、前記身頃体の周縁を仕上げる仕上げテープを設ける場合には、この仕上げテープを、当該身頃体の表面にのみ装着するように構成される。
【００５８】
さらに、この実施の形態３では、前記薄手の生地によって二重に構成される身頃体に、シャーリング加工を施すことによって、伸縮性を付与するように構成されている。
【００５９】
すなわち、この実施の形態３では、図９に示すように、女性用衣料としてのナイト用ブラジャー１が、左右のバストカップ２、３及び側布４と一体的に構成される身頃体４０を備えており、この身頃体４０は、左右のバストカップ２、３及び側布４の下端縁１２、１４に一体的に縫着されている。上記身頃体４０は、薄手の生地４１によって二重に構成されており、この身頃体４０を構成する薄手の生地４１には、ゴム糸等によって縫製することにより、シャーリング加工が施されており、伸縮性が付与されており、着用感を一層高めるようになっている。
【００６０】
また、上記身頃体４０の接合部は、図１０（ａ）又は（ｂ）に示すように、二重に構成される当該身頃体４０を構成する薄手の生地４１の一方の端縁４１ａを、内側に折り返し、これらの内側に折り返された薄手の生地４１の一方の端縁４１ａの間に、他方の薄手の生地４１の端縁４１ｂを挟みこんだ状態で、１個所又は２個所を縦方向に沿って縫着することによって、接合される。
【００６１】
その他の構成及び作用は、前記実施の形態と同様であるので、その説明を省略する。
【００６２】
実施の形態４
図１１にこの発明の実施の形態４を示すものであり、前記実施の形態と同一の部分には同一の符号を付して説明すると、この実施の形態４では、図１１に示すように、前記女性用衣料がナイト用ベビードール５０からなり、このナイト用ベビードール５０は、前記実施の形態１と同様に構成されるナイト用ブラジャー１の下部に、シャーリング加工が施された薄手の二重生地５１からなる長さの短い部分５２と、当該短い部分５２と同じ薄手の二重生地５１又は異なる素材からなる長さの短い部分５３とを、一体的に縫着することによって構成されている。
【００６３】
その他の構成及び作用は、前記実施の形態と同様であるので、その説明を省略する。
【００６４】
実施の形態５
図１２にこの発明の実施の形態５を示すものであり、前記実施の形態と同一の部分には同一の符号を付して説明すると、この実施の形態５では、図１２に示すように、前記女性用衣料がナイト用のブラジャー６０からなり、このナイト用ブラジャー６０は、前記実施の形態１と同様に構成されるナイト用ブラジャー１の裏面側に、薄手の生地で構成された同様の形状のナイト用ブラジャー６１とから二重に構成されており、薄手の生地で構成された同様の形状のナイト用ブラジャー６１を、裏面側に配置することにより、肌当たりを一層高めることができるように構成されている。
【００６５】
また、上記ナイト用のブラジャー６０は、前側がリボン６２で結ぶことにより、着脱自在となっており、着脱性を一層高めることができるように構成されている。
【００６６】
その他の構成及び作用は、前記実施の形態と同様であるので、その説明を省略する。
【００６７】
【発明の効果】
以上述べたように、この発明によれば、ナイト用ブラジャーにおいて、就寝時の着用感と肌当たりを向上させるとともに、装飾性を付与して視覚性を高めることができ、更に、着脱性を容易にしたナイト用ブラジャーを提供することができる。
【図面の簡単な説明】
【図１】図１はこの発明の実施の形態１に係る女性用衣料としてのナイト用ブラジャーを示す斜視構成図である。
【図２】図２（ａ）（ｂ）はこの発明の実施の形態１に係る女性用衣料としてのナイト用ブラジャーを構成する素材をそれぞれ示す展開図である。
【図３】図３（ａ）〜（ｃ）はこの発明の実施の形態１に係る女性用衣料としてのナイト用ブラジャーの製造途中の状態をそれぞれ示す平面図である。
【図４】図４はこの発明の実施の形態１に係る女性用衣料としてのナイト用ブラジャーの基本的な形態を示す斜視図である。
【図５】図５（ａ）〜（ｆ）はこの発明の実施の形態１に係る女性用衣料としてのナイト用ブラジャーの端縁の処理をそれぞれ示す構成図である。
【図６】図６はこの発明の参考実施の形態に係る女性用衣料としてのナイト用ブラジャーを示す斜視構成図である。
【図７】図７はこの発明の参考実施の形態１に係る女性用衣料としてのナイト用ブラジャーを示す斜視構成図である。
【図８】図８はこの発明の参考実施の形態２に係る女性用衣料としてのナイト用ブラジャーを示す斜視構成図である。
【図９】図９はこの発明の実施の形態３に係る女性用衣料としてのナイト用ブラジャーを示す斜視構成図である。
【図１０】図１０（ａ）（ｂ）はこの発明の実施の形態３に係る女性用衣料としてのナイト用ブラジャーの接続部をそれぞれ示す構成図である。
【図１１】図１１はこの発明の実施の形態４に係る女性用衣料としてのナイト用ベビードールを示す構成図である。
【図１２】図１２はこの発明の実施の形態５に係る女性用衣料としてのナイト用ブラジャーを示す構成図である。
【図１３】図１３は従来の女性用衣料の縫製状態を示す説明図である。
【符号の説明】
１：ナイト用ブラジャー (女性用衣料）、２，３：左右のバストカップ部、４：側布、５，６：ストラップ、７、８，９：素材、１０：装飾用テープ状部材、１１ａ，１１ｂ：左右のバストカップ部の上端縁、１２：左右のバストカップ部の下端縁、１３：側布の上端縁、１４：側布の下端縁、１５：端縁処理用テープ状部材。
【図１】
0004246361.tif 000002
【図２】
0004246361.tif 000003
【図３】
0004246361.tif 000004
【図４】
0004246361.tif 000005
【図５】
0004246361.tif 000006
【図６】
0004246361.tif 000007
【図７】
0004246361.tif 000008
【図８】
0004246361.tif 000009
【図９】
0004246361.tif 000010
【図１０】
0004246361.tif 000011
【図１１】
0004246361.tif 000012
【図１２】
0004246361.tif 000013
【図１３】
0004246361.tif 000014